(57)【特許請求の範囲】
【請求項１】
分級室を形成するハウジングと、該ハウジングの下部に周囲に吹出し口を形成する様収納され、回転駆動される粉砕テーブルと、該粉砕テーブルに加圧ローラユニットを介して加圧ローラを押圧し、前記粉砕テーブル上の石炭を粉砕し粉状石炭とする複数のローラ加圧装置と、塊状石炭を前記粉砕テーブルに供給する給炭管と、前記粉砕テーブルの下方に１次空気を供給する１次空気供給口を具備し、前記粉砕テーブルで飛跳ねた塊状石炭を弾返す飛跳防止部材を前記ローラ加圧装置の間に配置し、前記１次空気に吹上げられた粒径の大きい前記粉状石炭を衝突により前記粉砕テーブル上に落下させるコールシールドを前記加圧ローラユニット下面の前記吹出し口と対峙した位置に設けたことを特徴とする竪型ローラミル。
【請求項２】
前記飛跳防止部材の下端は、前記吹出し口よりも内側に位置する請求項１の竪型ローラミル。
【請求項３】
前記飛跳防止部材の上端が、中心に倒れる様に傾斜して設置された請求項１の竪型ローラミル。
【発明の詳細な説明】
【技術分野】
【０００１】
本発明は、石炭焚きボイラへ供給する石炭を粉砕する竪型ローラミルに関するものである。
【背景技術】
【０００２】
石炭を燃料とする石炭焚きボイラでは、塊状の石炭を竪型ローラミルにより粉砕して微粉炭とし、微粉炭を１次空気と共に燃焼装置であるバーナに供給している。
【０００３】
竪型ローラミルは、所定の回転数で回転する粉砕テーブルと、該粉砕テーブルに押圧される加圧ローラとを有し、前記粉砕テーブルには給炭管から塊状の石炭が落下され、供給される。供給された塊状の石炭は、前記粉砕テーブルの回転遠心力によって外周へと移動する。
【０００４】
石炭が前記粉砕テーブルの外周に移動する過程で、加圧ローラと前記粉砕テーブルの間に噛込まれて粉砕される。粉砕された微粉炭は前記粉砕テーブル周囲の１次空気吹出し口より、吹上がる１次空気によって上昇し、１次空気と共にバーナに供給される。
【０００５】
ところが、供給された塊状の石炭の一部は、前記粉砕テーブルに落下した勢いで跳ね、該粉砕テーブルの外に飛出してしまう。飛出した塊状の石炭は、１次空気に吹上げられ、前記粉砕テーブルに戻され、前記加圧ローラにより圧砕されるが、１次空気のエネルギの一部が飛出した塊状の石炭の吹上げに消費されてしまい、圧損を生じる。
【０００６】
この為、空気の送風動力に無駄が生じ、更に、供給した塊状の石炭の全てが直ちに粉砕されないので、粉砕効率も低下するという問題があった。
【０００７】
【特許文献１】特開平３−８６２５５号公報
【０００８】
【特許文献２】特開２０００−３１７３２６号公報
【発明の開示】
【発明が解決しようとする課題】
【０００９】
本発明は斯かる実情に鑑み、竪型ローラミルに於いて、供給した塊状の石炭の飛跳ねを抑制し、粉砕効率の向上、更には送風動力の軽減を図るものである。
【課題を解決するための手段】
【００１０】
本発明は、分級室を形成するハウジングと、該ハウジングの下部に周囲に吹出し口を形成する様収納され、回転駆動される粉砕テーブルと、該粉砕テーブルに加圧ローラユニットを介して加圧ローラを押圧し、前記粉砕テーブル上の石炭を粉砕し粉状石炭とする複数のローラ加圧装置と、塊状石炭を前記粉砕テーブルに供給する給炭管と、前記粉砕テーブルの下方に１次空気を供給する１次空気供給口を具備し、前記粉砕テーブルで飛跳ねた塊状石炭を弾返す飛跳防止部材を前記ローラ加圧装置の間に配置し、前記１次空気に吹上げられた粒径の大きい前記粉状石炭を衝突により前記粉砕テーブル上に落下させるコールシールドを前記加圧ローラユニット下面の前記吹出し口と対峙した位置に設けた竪型ローラミルに係るものである。
【００１１】
又本発明は、前記飛跳防止部材の下端は、前記吹出し口よりも内側に位置する竪型ローラミルに係り、更に又前記飛跳防止部材の上端が、中心に倒れる様に傾斜して設置された竪型ローラミルに係るものである。
【発明の効果】
【００１２】
本発明によれば、分級室を形成するハウジングと、該ハウジングの下部に周囲に吹出し口を形成する様収納され、回転駆動される粉砕テーブルと、該粉砕テーブルに加圧ローラユニットを介して加圧ローラを押圧し、前記粉砕テーブル上の石炭を粉砕し粉状石炭とする複数のローラ加圧装置と、塊状石炭を前記粉砕テーブルに供給する給炭管と、前記粉砕テーブルの下方に１次空気を供給する１次空気供給口を具備し、前記粉砕テーブルで飛跳ねた塊状石炭を弾返す飛跳防止部材を前記ローラ加圧装置の間に配置し、前記１次空気に吹上げられた粒径の大きい前記粉状石炭を衝突により前記粉砕テーブル上に落下させるコールシールドを前記加圧ローラユニット下面の前記吹出し口と対峙した位置に設けたので、前記粉砕テーブル上に落ちた塊状の石炭が、前記加圧ローラに噛込まれないまま前記粉砕テーブルを跳越えることを防ぎ、塊状の石炭の噛込みの遅れの抑止を図り、粉砕効率を高めることができると共に、前記塊状石炭が前記１次空気に吹上げられること、及び粒径の大きな前記粉状石炭が前記１次空気に吹上げられることによる圧損を防止することができ、送風動力の増大を防止し、省エネルギ化を図る。
【００１３】
又本発明によれば、前記飛跳防止部材の下端は、前記吹出し口よりも内側に位置するので、前記飛跳防止部材が１次空気の送風を妨げることがない。
【００１４】
更に又本発明によれば、前記飛跳防止部材の上端が、中心に倒れる様に傾斜して設置されたので、弾いた塊状の石炭を前記粉砕テーブル上に落とし、又高濃度で存在する微粉炭が飛跳防止部材上に堆積するのを防ぐという優れた効果を発揮する。
【発明を実施するための最良の形態】
【００１５】
以下、図面を参照しつつ本発明を実施する為の最良の形態を説明する。
【００１６】
図１、図２は本発明が実施される竪型ローラミル１の一例を示す概略図である。
【００１７】
中空構造又は脚構造の基台２に筒状のハウジング３が立設され、該ハウジング３の上側に給炭機４が設けられている。
【００１８】
前記基台２にはテーブル駆動装置５が収納され、該テーブル駆動装置５によって粉砕テーブル６が定速又は可変速で回転される様になっている。該粉砕テーブル６は前記ハウジング３の下部に収納されており、前記基台２の上端と前記ハウジング３の下端とは仕切られ、前記粉砕テーブル６の周囲には１次空気室７が形成され、前記ハウジング３内部の前記粉砕テーブル６より上方は、分級室９となっている。
【００１９】
前記ハウジング３の下部には、１次空気供給口８が取付けられ、該１次空気供給口８は前記１次空気室７に連通している。前記粉砕テーブル６の周囲にはエアポート１１が形成され、該エアポート１１は前記１次空気供給口８と前記分級室９とを連通し、１次空気の吹出し口として機能する。
【００２０】
前記ハウジング３の下部には、放射状の貫通する複数、例えば３組のローラ加圧装置１２が設けられ、該ローラ加圧装置１２は１２０°間隔で設けられ、主に液圧シリンダである加圧シリンダ１３、水平軸１４を中心に上下方向に回転可能な加圧ローラユニット１５から構成され、更に該加圧ローラユニット１５は回転自在な加圧ローラ１６を具備している。前記加圧ローラユニット１５の下面には前記エアポート１１と対峙した位置にコールシールド（石炭衝突板）１９が設けられ、該コールシールド１９は、中心に向かうほど水平面から離反する様な傾斜面となっており、前記エアポート１１を通過する１次空気と共に吹上げられる石炭が衝突し、前記加圧ローラユニット１５への石炭衝突を防止し、摩耗を防止する。
【００２１】
前記粉砕テーブル６の上面にはリング上の凹部を形成するテーブルセグメント１７が設けられ、前記加圧ローラ１６は前記加圧シリンダ１３によって前記テーブルセグメント１７の凹部に押圧される。
【００２２】
前記ハウジング３の内壁の所要位置、図示では円周を３等分した位置（前記ローラ加圧装置１２，１２の中間位置）に飛跳防止板１８が設けられる。該飛跳防止板１８は、前記ハウジング３の内壁に取付けられた支持板２１によって支持される。前記飛跳防止板１８は、前記加圧ローラ１６，１６との間隔を略塞ぐ水平方向の長さを有する矩形形状の板であり、上端が中心側に倒れる様に傾斜し、傾斜角度は前記飛跳防止板１８に衝突した塊状の石炭が、効果的に前記テーブルセグメント１７に落下する様になっている。尚、塊状の石炭を前記テーブルセグメント１７に弾返せばよいので、傾斜せず垂直であってもよい。
【００２３】
又前記飛跳防止板１８の下端は、少なくとも前記エアポート１１よりも中心側に位置し、前記粉砕テーブル６上面との間に隙間を有している。
【００２４】
前記給炭機４は、出炭部ハウジング２２及び該出炭部ハウジング２２を貫通して前記ハウジング３の内部に延出するパイプ状の給炭管２３に接続されている。
【００２５】
前記出炭部ハウジング２２の下端は開放され、前記分級室９に連通している。又、前記出炭部ハウジング２２には微粉炭送給管２４が接続され、該微粉炭送給管２４はボイラのバーナ（図示せず）に接続されている。
【００２６】
前記給炭管２３は前記粉砕テーブル６の回転中心の延長上にあり、前記給炭管２３の上端は前記給炭機４に接続され、下端は前記加圧ローラ１６の近傍に位置している。前記給炭管２３の中途部に分級機２６が設けられ、該分級機２６は前記分級室９の上部に位置し、前記出炭部ハウジング２２の下端開口部に隣接している。前記分級機２６は、回転駆動部２５に連結され、回転使用される。
【００２７】
前記分級機２６は短冊状のブレード２７が円周方向に所要ピッチで配設され、前記給炭管２３に支持されたものであり、前記ブレード２７が円周上を回転する様になっている。
【００２８】
以下、前記竪型ローラミル１の作動について説明する。
【００２９】
前記粉砕テーブル６が前記テーブル駆動装置５により回転され、前記１次空気供給口８より１次空気が導入された状態で、前記給炭管２３より塊状の石炭が投入される。塊状の石炭は前記給炭管２３の下端より流落し、前記粉砕テーブル６上に落下される。該粉砕テーブル６上の石炭は、前記加圧ローラ１６により粉砕され粉状となり、粉状の石炭は前記エアポート１１を吹上がる１次空気に乗って上昇する。
【００３０】
又、流落した際、前記粉砕テーブル６上で弾み、該粉砕テーブル６を跳越えようとした塊状の石炭は、前記飛跳防止板１８によって弾かれて前記粉砕テーブル６上に戻され、粉砕される。
【００３１】
粉砕されて粉状となった石炭は、前記エアポート１１を吹上がる１次空気に乗って上昇する（以下、１次混合空気と称す）。又、前記飛跳防止板１８の少なくとも外側端は、１次空気の流れを妨げない様前記エアポート１１よりも内側に位置し、前記飛跳防止板１８を支える前記支持板２１も又、１次空気の流れを妨げない様鉛直に設けられている。
【００３２】
前記コールシールド１９に対向する部分の前記エアポート１１から吹上がった１次混合空気は、前記コールシールド１９に衝突し、１次混合空気中の粉状石炭の内、粒径の大きなものは前記粉砕テーブル６上に落下し、更に粉砕される。
【００３３】
従って、前記粉砕テーブル６を跳越えようとした塊状の石炭は、前記飛跳防止板１８によって前記粉砕テーブル６上に戻されて粉砕され、１次混合空気中の粉状石炭の内、粒径の大きなものは前記コールシールド１９によって分離されるので、前記分級室９を上昇する過程で重力によって分離する分級に比べ、迅速に効率よく分級される。
【００３４】
前記飛跳防止板１８、前記コールシールド１９により、前記分級室９を上昇する１次混合空気は、粒径の大きな粉状石炭が除去されたものとなっている。
【００３５】
上昇した１次混合空気は、前記給炭管２３を中心に回転する前記ブレード２７を横切って前記分級機２６内部に流入し、更に前記出炭部ハウジング２２の下端開口部から該出炭部ハウジング２２内部に流入する。
【００３６】
１次混合空気が前記ブレード２７を横切る際に粒径の大きい石炭粉は、前記ブレード２７に衝突して落下する。粒径の小さい微粉炭のみが１次空気に乗って前記分級機２６内に流入し、更に前記出炭部ハウジング２２を経て、前記微粉炭送給管２４より出炭され、ボイラのバーナ（図示せず）に供給される。
【００３７】
上記の様に、前記給炭管２３より流落した塊状の石炭が、前記粉砕テーブル６に衝突して該粉砕テーブル６を跳越えようとした場合、塊状の石炭は前記飛跳防止板１８に弾返されて再び前記粉砕テーブル６上に戻される。従って、塊状の石炭が前記加圧ローラ１６に粉砕されないまま１次空気に吹上げられることによる１次空気の圧力損失を防ぎ、送風動力の軽減が図れ、又前記粉砕テーブル６から飛出すことによる塊状の石炭の粉砕の遅れがなくなり、石炭の粉砕効率は上昇する。
【図面の簡単な説明】
【００３８】
【図１】本発明の実施の形態を示す立断面図である。
【図２】図１のＡ矢視図である。
【符号の説明】
【００３９】
１              竪型ローラミル
５              テーブル駆動装置
６              粉砕テーブル
８              １次空気供給口
９              分級室
１１            エアポート
１２            ローラ加圧装置
１６            加圧ローラ
１８            飛跳防止板
１９            コールシールド
２２            出炭部ハウジング
２３            給炭管
２４            微粉炭送給管
２５            回転駆動部
２６            分級機
２７            ブレード
【図１】
0005444640.tif 000002
【図２】
0005444640.tif 000003